【手続補正書】
【提出日】平成23年4月14日(2011.4.14)
【手続補正１】
【補正対象書類名】特許請求の範囲
【補正対象項目名】全文
【補正方法】変更
【補正の内容】
【特許請求の範囲】
【請求項１】
有価紙葉の真偽を鑑別しかつ鑑別情報を記憶する鑑別装置と、
カードに情報を印刷する印刷装置と、
鑑別装置と印刷装置とを通信可能に接続する通信接続装置とを備え、
通信接続装置を介して鑑別装置内の鑑別情報を印刷装置に送信し、印刷装置により鑑別情報を印刷することを特徴とする有価紙葉処理システム。
【請求項２】
鑑別装置は、印刷装置から検索指令信号を受信しかつ印刷装置に鑑別情報を送信する鑑別送受信装置と、鑑別送受信装置が検索指令信号を受信したときに、鑑別装置内の鑑別情報を検索して取り出して、鑑別送受信装置を通じて印刷装置に検索した鑑別情報を送信する鑑別制御装置とを備える請求項１に記載の有価紙葉処理システム。
【請求項３】
印刷装置は、カードに情報を印刷するプリンタ装置と、鑑別装置から鑑別情報を受信する印刷送受信装置と、印刷送受信装置が鑑別情報を受信したときに、プリンタ装置を作動させて、カードに鑑別情報を記録する印刷制御装置とを備える請求項１又は２に記載の有価紙葉処理システム。
【請求項４】
印刷装置は、印刷装置内に挿入されるカードから情報を読み出すカード情報読取装置を備え、
カード情報読取装置がカードから読み出した情報に検索指令信号が含まれているとき、印刷装置は、検索指令信号を鑑別装置に送信し、
鑑別装置は、検索指令信号を受信したときに、鑑別情報を印刷装置に送信する請求項１乃至３の何れか１項に記載の有価紙葉処理システム。
【請求項５】
有価紙葉の真偽を鑑別する鑑別装置と、カードに情報を印刷する印刷装置とを備え、
鑑別装置は、印刷装置から検索指令信号を受信しかつ印刷装置に鑑別情報を送信する鑑別送受信装置と、鑑別送受信装置が検索指令信号を受信したときに、鑑別装置内の鑑別情報を検索して取り出して、鑑別送受信装置を通じて印刷装置に検索した鑑別情報を送信する鑑別制御装置とを備え、
印刷装置は、カードに情報を印刷するプリンタ装置と、鑑別装置から鑑別情報を受信する印刷送受信装置と、印刷送受信装置が鑑別情報を受信したときに、プリンタ装置を作動させて、カードに鑑別情報を記録する印刷制御装置とを備えることを特徴とする有価紙葉処理システム。
【請求項６】
鑑別装置の鑑別送受信装置と印刷装置の印刷送受信装置とを通信可能に接続する通信接続装置を設けた請求項５に記載の有価紙葉処理システム。
【請求項７】
印刷装置は、運搬通路に沿ってカードを運搬する運搬装置と、運搬通路に沿って運搬されるカードに記録される情報を読み出す読出装置とを備え、
読出装置がカードに記録される検索指令信号を検出して印刷制御装置に送出したとき、印刷制御装置は、印刷送受信装置及び鑑別送受信装置を通じて鑑別制御装置に検索指令信号を送信する請求項５又は６に記載の有価紙葉処理システム。
【請求項８】
印刷装置のプリンタ装置は、カードに情報を印刷し又はカードに印刷された情報を消去し、
印刷制御装置は、カードから読み出される情報に基づいてプリンタ装置及び印刷送受信装置の動作を制御する請求項５乃至７の何れか１項に記載の有価紙葉処理システム。
【請求項９】
鑑別制御装置は、鑑別情報検索プログラムを備え、
鑑別送受信装置が検索指令信号を受信したときに、鑑別制御装置は、鑑別情報検索プログラムを実行して鑑別装置内の鑑別情報を検索して取り出し、鑑別送受信装置を通じて印刷装置に検索した鑑別情報を送信する請求項５乃至８の何れか１項に記載の有価紙葉処理システム。
【請求項１０】
鑑別制御装置は、鑑別情報検索プログラムを備え、
鑑別送受信装置が検索指令信号を受信したときに、鑑別制御装置は、鑑別情報検索プログラムを実行して鑑別装置内の特定の鑑別情報を検索して取り出し、鑑別送受信装置を通じて印刷装置に検索した鑑別情報を送信する請求項５乃至８の何れか１項に記載の有価紙葉処理システム。
【請求項１１】
特定の鑑別情報は、鑑別装置が最後に鑑別して、真正と判断した後、識別センサ装置からの検出信号に基づいて鑑別制御装置が真正と判断した有価紙葉を収納する収納装置に収納した紙葉の金額を含む紙葉情報を特定の鑑別情報として検索して取り出し、鑑別送受信装置を通じて印刷装置に検索した鑑別情報を送信する請求項１０に記載の有価紙葉処理システム。
【請求項１２】
読出装置は、カードに記録される鑑別管理指令信号を読み出して、印刷制御装置に送出し、
鑑別管理指令信号を受信する印刷制御装置は、印刷送受信装置を通じて鑑別装置の鑑別送受信装置に鑑別管理指令信号を送信し、
鑑別送受信装置は、鑑別管理指令信号を鑑別制御装置に送信し、
鑑別制御装置は、搬送通路に沿って搬送される有価紙葉の物理的特徴を検出して、検出信号を鑑別制御装置に送出する識別センサ装置が真偽判断を行った少なくとも１枚の有価紙葉の鑑別情報を鑑別制御装置に接続されかつ鑑別制御装置が処理した有価紙葉の情報を記憶する記憶装置から読み出して、鑑別送受信装置を通じて印刷送受信装置に送信し、
印刷送受信装置は、鑑別情報を印刷制御装置に送信し、
印刷制御装置は、プリンタ装置を作動して、カードに有価紙葉の鑑別情報を記録する請求項７に記載の有価紙葉処理システム。
【請求項１３】
鑑別制御装置は、鑑別情報検索プログラムを備え、
鑑別送受信装置が検索指令信号を受信したときに、鑑別制御装置は、鑑別情報検索プログラムを実行して、識別センサ装置が真偽判断を行った少なくとも１枚の有価紙葉の鑑別情報を記憶装置から読み出して、鑑別送受信装置を通じて印刷送受信装置に鑑別情報を送信する請求項１２に記載の有価紙葉処理システム。
【請求項１４】
読出装置は、カードに記録される鑑別診断指令信号を読み出して、印刷制御装置に送出し、
鑑別診断指令信号を受信する印刷制御装置は、印刷送受信装置を通じて鑑別装置の鑑別送受信装置に鑑別診断指令信号を送信し、
鑑別送受信装置は、鑑別診断指令信号を鑑別制御装置に送信し、
鑑別制御装置は、鑑別診断指令信号に基づいて鑑別装置内の各部の診断情報を鑑別情報として収集して、鑑別送受信装置を通じて印刷送受信装置に送信し、
印刷送受信装置は、鑑別情報を印刷制御装置に送信し、
印刷制御装置は、プリンタ装置を作動して、カードに鑑別装置の鑑別情報を記録する請求項７に記載の有価紙葉処理システム。
【請求項１５】
読出装置は、カードに記録される変更プログラム情報を読み出して、印刷制御装置に送出し、
変更プログラム情報を受信する印刷制御装置は、印刷送受信装置を通じて鑑別装置の鑑別送受信装置に変更プログラム情報を送信し、
鑑別送受信装置は、変更プログラム情報を鑑別制御装置に送信し、
鑑別制御装置は、鑑別制御装置に接続されかつ鑑別制御装置が処理した有価紙葉の情報を記憶する記憶装置に記憶される在来のプログラム情報に代えて、変更プログラム情報を記憶装置に記憶させて、プログラムを更新し、
印刷送受信装置は、プログラム変更情報を印刷制御装置に送信し、
印刷制御装置は、プリンタ装置を作動して、カードに鑑別装置のプログラム変更情報を記録し、
鑑別装置は、変更プログラムに従って作動される請求項７に記載の有価紙葉処理システム。
【手続補正２】
【補正対象書類名】明細書
【補正対象項目名】０００８
【補正方法】変更
【補正の内容】
【０００８】
本発明の有価紙葉処理システム(1)は、有価紙葉の真偽を鑑別しかつ鑑別情報を記憶する鑑別装置(2)と、カード(20)に情報を印刷する印刷装置(3)と、鑑別装置(2)と印刷装置(3)とを通信可能に接続する通信接続装置(4)とを備える。鑑別装置(2)は、通信接続装置(4)を通じて一定時間経過時に自動的に内蔵する鑑別情報を印刷装置(3)に送信する。別法として、鑑別装置(2)は、トリガスイッチが押圧されて鑑別装置(2)に鑑別情報送信指令信号が付与され又は印刷装置(3)から検索指令信号を受信すると、鑑別装置(2)は、通信接続装置(4)を介して鑑別装置(2)内の鑑別情報を印刷装置(3)に送信し、印刷装置(3)により鑑別情報を印刷することができる。